(57)【特許請求の範囲】
【請求項１】
レーザダイオードを駆動するレーザ駆動回路であって、
前記レーザダイオードを駆動するための駆動電流を生成する電流源と、
前記レーザダイオードへの前記駆動電流の通電および非通電を切り替えるスイッチと、
前記レーザダイオードの発光量のモニター結果に基づいて、当該発光量が所定値となるように前記駆動電流の大きさを制御する出力制御回路と、
与えられた信号に応じて、前記スイッチの動作を制御するスイッチ制御回路とを備え、
前記スイッチ制御回路は、電気的な接続および切り離しの切り替えが可能な複数のバッファ回路を備え、前記出力制御回路による前記駆動電流の大きさの制御に連動して当該複数のバッファ回路の並列接続度を変更することによって、当該スイッチ制御回路の駆動能力を切り替えるものであって、前記駆動電流が大きくなるように制御されるとき、前記スイッチの駆動に係る当該スイッチ制御回路の駆動能力を大きくする一方、前記駆動電流が小さくなるように制御されるとき前記スイッチの駆動に係る当該スイッチ制御回路の駆動能力を小さくする
ことを特徴とするレーザ駆動回路。
【請求項２】
請求項１に記載のレーザ駆動回路において、
前記スイッチ制御回路は、前記駆動電流が大きくなるように制御されるとき、前記スイッチを制御するための制御信号の振幅を大きくする一方、前記駆動電流が小さくなるように制御されるとき、前記制御信号の振幅を小さくする
ことを特徴とするレーザ駆動回路。
【請求項３】
請求項１に記載のレーザ駆動回路において、
前記出力制御回路による前記駆動電流の大きさの制御に連動して前記スイッチのサイズが変更される
ことを特徴とするレーザ駆動回路。
【請求項４】
請求項１に記載のレーザ駆動回路において、
前記レーザダイオードに前記駆動電流を供給する出力端に接続され、時定数の切り替えが可能であるフィルタ回路を備え、
前記フィルタ回路は、前記出力制御回路による前記駆動電流の大きさの制御に連動して時定数を切り替える
ことを特徴とするレーザ駆動回路。
【請求項５】
レーザダイオードと、前記レーザダイオードの発光量をモニターする受光素子と、前記レーザダイオードを駆動するレーザ駆動回路とを備え、入力信号に応じて前記レーザダイオードを発光させることによってデータ通信を行う光通信装置であって、
前記レーザ駆動回路は、
前記レーザダイオードを駆動するための駆動電流を生成する電流源と、
前記レーザダイオードへの前記駆動電流の通電および非通電を切り替えるスイッチと、
前記受光素子によるモニター結果に基づいて、前記レーザダイオードの発光量が所定値となるように前記駆動電流の大きさを制御する出力制御回路と、
前記入力信号に応じて、前記スイッチの動作を制御するスイッチ制御回路とを備えたものであり、
前記スイッチ制御回路は、電気的な接続および切り離しの切り替えが可能な複数のバッファ回路を備え、前記出力制御回路による前記駆動電流の大きさの制御に連動して当該複数のバッファ回路の並列接続度を変更することによって、当該スイッチ制御回路の駆動能力を切り替えるものであって、前記駆動電流が大きくなるように制御されるとき、前記スイッチの駆動に係る当該スイッチ制御回路の駆動能力を大きくする一方、前記駆動電流が小さくなるように制御されるとき前記スイッチの駆動に係る当該スイッチ制御回路の駆動能力を小さくする
ことを特徴とする光通信装置。
【請求項６】
請求項５に記載の光通信装置において、
前記レーザ駆動回路は、前記レーザダイオードに前記駆動電流を供給する出力端に接続され、時定数の切り替えが可能であるフィルタ回路を備えたものであり、
前記フィルタ回路は、前記出力制御回路による前記駆動電流の大きさの制御に連動して時定数を切り替えるものである
ことを特徴とする光通信装置。
【請求項７】
請求項５に記載の光通信装置において、
前記出力制御回路は、バースト信号ごとに前記駆動電流の大きさを制御する
ことを特徴とする光通信装置。
【発明の詳細な説明】
【技術分野】
【０００１】
本発明は、レーザダイオードを駆動するレーザ駆動回路に関し、特に、入力信号に応じてレーザダイオードを発光させることによってデータ通信を行う光通信装置に好適なレーザ駆動回路に関する。
【背景技術】
【０００２】
図１０は、従来のレーザ駆動回路の回路構成を示す。従来のレーザ駆動回路１０は、電流‐光変換を行うレーザダイオード１０１を駆動する駆動電流を生成する電流源１１と、ドレインにレーザダイオード１０１が接続されるとともにソースに電流源１１が接続されたスイッチトランジスタ１２ａと、ドレインに電源ＶＤＤが接続されるとともにソースに電流源１１が接続されたスイッチトランジスタ１２ｂと、フォトダイオード１０２によるレーザ光２０のモニター結果を電流源１１にフィードバックし、レーザ光２０の光量を常に一定に保つように駆動電流の大きさを調整するＡＰＣ（Auto Power Control）回路１３とを備えている。
【０００３】
スイッチトランジスタ１２ａおよび１２ｂのそれぞれのゲートには差動のスイッチング信号ＩＮ０+およびＩＮ０-が入力される。そして、スイッチトランジスタ１２ａがＯＮ状態およびスイッチトランジスタ１２ｂがＯＦＦ状態となるとき、レーザダイオード１０１への通電が行われてレーザダイオード１０１はレーザ光２０を発光する。一方、スイッチトランジスタ１２ａがＯＦＦ状態およびスイッチトランジスタ１２ｂがＯＮ状態となるとき、レーザダイオード１０１への通電は行われず、レーザダイオード１０１はレーザ光２０を発光しない。
【０００４】
実際には、上記構成のレーザ駆動回路１０の動作は、レーザダイオード１０１およびレーザ駆動回路１０自身のパッケージ、リードおよびボンディングワイヤに寄生するインダクタンスおよび容量成分、およびレーザ駆動回路１０の出力に寄生する容量成分の影響を受ける。この影響は、動作周波数が比較的低い場合には無視し得るが、動作周波数が比較的高い場合、特に１Ｇｂｐｓを超える場合には、レーザ駆動回路１０の出力波形の立ち上がりおよび立ち下がりに発生するリンギングを無視することができなくなる。たとえば、レーザ駆動回路１０を光通信装置に用いる場合において、レーザダイオード１０１の発光にリンギングが発生すると、高速データ通信の信頼性が劣化し、ひどい場合にはデータの抜けや誤データが生じるなどの致命的な結果をもたらす。
【０００５】
そこで、従来、直列接続された容量素子１５１および抵抗素子１５２からなるフィルタ回路をスイッチングトランジスタ１２ａのドレインとスイッチングトランジスタ１２ｂのドレインとの間に挿入して、リンギングによる影響を抑制するという手段が講じられている（たとえば、特許文献１参照）。
【特許文献１】特開２０００―２０３０８０号公報（第５頁、第１図）
【発明の開示】
【発明が解決しようとする課題】
【０００６】
上記のリンギング抑制手法では、フィルタ回路の時定数が一定値に固定されている。したがって、リンギングの影響を抑制する代わりに出力波形が鈍ってしまったり、逆に、出力波形の立ち上がりおよび立ち下がりを最適化する代わりにリンギング、または、オーバーシュートおよびアンダーシュートが残ってしまったりする。
【０００７】
図１１は、従来のレーザ駆動回路１０の入出力特性を表すグラフである。図１１（ａ）は、従来のレーザ駆動回路１０への入力信号を示す。図１１（ｂ）は、駆動電流が小さいときの出力波形を示す。図１１（ｃ）は、駆動電流が大きいときの出力波形を示す。図１１（ｂ）に示したように、電流源１１が生成する駆動電流が比較的小さい場合にはオーバーシュートおよびアンダーシュートが発生しやすい。一方、図１１（ｃ）に示したように、電流源１１が生成する駆動電流が比較的大きい場合には出力波形が鈍ってしまう。このように、駆動電流の変化の範囲が比較的広い場合には、最適な出力波形を得ることが困難である。そして、出力波形が劣化した状態のレーザダイオードを光データ通信で使用する場合、高速な応答ができなくなり、データの抜けや誤データなどが生じてしまい、通信データの信頼性の低下をもたらすこととなる。
【０００８】
上記問題に鑑み、本発明は、レーザダイオードを駆動するレーザ駆動回路、特に、光通信装置におけるレーザダイオードを駆動するレーザ駆動回路について、最適な出力波形を得ることを課題とする。
【課題を解決するための手段】
【０００９】
上記課題を解決するために本発明が講じた手段は、レーザダイオードを駆動するレーザ駆動回路として、前記レーザダイオードを駆動するための駆動電流を生成する電流源と、前記レーザダイオードへの前記駆動電流の通電および非通電を切り替えるスイッチと、前記レーザダイオードの発光量のモニター結果に基づいて、当該発光量が所定値となるように前記駆動電流の大きさを制御する出力制御回路と、与えられた信号に応じて、前記スイッチの動作を制御するスイッチ制御回路とを備えたものとする。そして、前記スイッチ制御回路は、前記出力制御回路による前記駆動電流の大きさの制御に連動して前記スイッチに対する駆動能力を切り替えるものとする。
【００１０】
これによると、レーザダイオードへの駆動電流の通電および非通電を切り替えるスイッチに対する駆動能力が、駆動電流の大きさの制御に連動して切り替えられる。したがって、当該スイッチが駆動電流の大きさに応じた駆動能力で駆動され、レーザ駆動回路の出力波形が最適に整形される。
【００１１】
具体的には、前記スイッチ制御回路は、前記駆動電流が大きくなるように制御されるとき、駆動能力を大きくする一方、前記駆動電流が小さくなるように制御されるとき、駆動能力を小さくするものとする。
【００１２】
より具体的には、前記スイッチ制御回路は、電気的な接続および切り離しの切り替えが可能な複数のバッファ回路を備え、当該複数のバッファ回路の並列接続度を変更することによって、駆動能力を切り替えるものとする。
【００１３】
また、具体的には、前記スイッチ制御回路は、前記駆動電流が大きくなるように制御されるとき、前記スイッチを制御するための制御信号の振幅を大きくする一方、前記駆動電流が小さくなるように制御されるとき、前記制御信号の振幅を小さくするものとする。
【００１４】
また、好ましくは、前記出力制御回路による前記駆動電流の大きさの制御に連動して前記スイッチのサイズが変更されるものとする。
【００１５】
なお、好ましくは、上記のスイッチ制御回路を備えたレーザ駆動回路に、さらに、前記レーザダイオードに前記駆動電流を供給する出力端に接続され、時定数の切り替えが可能であるフィルタ回路を備えることが好ましい。ここで、前記フィルタ回路は、前記出力制御回路による前記駆動電流の大きさの制御に連動して時定数を切り替えるものとする。
【発明の効果】
【００１６】
以上説明したように本発明に係るレーザ駆動回路によると、レーザ駆動回路自身および駆動対象であるレーザダイオードに寄生するインダクタンスおよび容量成分の影響による出力波形におけるリンギングを抑制し、さらに、駆動電流の大きさ適応して整形された出力波形を得ることができる。
【発明を実施するための最良の形態】
【００１７】
以下、本発明を実施するための最良の形態について、図面を参照しながら説明する。
【００１８】
（第１の実施形態）
図１は、本発明の第１の実施形態に係る光通信装置の回路構成を示す。本実施形態に係る光通信装置１００は、レーザダイオード１０１と、レーザダイオード１０１が出力するレーザ光２０の光量をモニターする受光素子としてのフォトダイオード１０２と、レーザダイオード１０１を駆動するレーザ駆動回路１０とを備えている。そして、本実施形態に係るレーザ駆動回路１０は、レーザダイオード１０１を駆動するための駆動電流を生成する電流源１１と、レーザダイオード１０１への駆動電流の通電および非通電を切り替えるスイッチ１２ａおよび１２ｂと、フォトダイオード１０２によるモニター結果に基づいて、レーザダイオード１０１の発光量が所定値となるように駆動電流の大きさを制御する出力制御回路であるＡＰＣ回路１３と、入力信号ＩＮ０+およびＩＮ０-に応じてスイッチの動作を制御するスイッチ制御回路１４と、レーザダイオード１０１に駆動電流を供給する出力端に接続され、時定数の切り替えが可能であるフィルタ回路であるリンギング抑制回路１５とを備えている。
【００１９】
本実施形態に係るレーザ駆動回路１０は、スイッチ制御回路１４およびリンギング抑制回路１５によって出力波形の最適化を行っている。以下、スイッチ制御回路１４およびリンギング抑制回路１５について詳細に説明する。
【００２０】
図２は、本実施形態に係るスイッチ制御回路１４の回路構成を示す。スイッチ制御回路１４は、バッファ回路１４１ａ、１４１ｂ、１４１ｃおよび１４１ｄを備えている。ここで、図１に示したスイッチ１２ａおよび１２ｂを差動信号で駆動するため、実際には、スイッチ制御回路１４は、図２に示した回路を、信号ＩＮ+およびＩＮ-の出力用に２個備えている。
【００２１】
バッファ回路１４１ａ〜１４１ｄの入力端および出力端はそれぞれ接続されており、信号ＩＮ０+（またはＩＮ０-）を入力し、信号ＩＮ+（またはＩＮ-）を出力する。バッファ回路１４１ａ〜１４１ｄには、それぞれ、ＰＭＯＳトランジスタＰＭａ、ＰＭｂ、ＰＭｃおよびＰＭｄと、ＮＭＯＳトランジスタＮＭａ、ＮＭｂ、ＮＭｃおよびＮＭｄとが接続されている。そして、これらＰＭＯＳトランジスタＰＭａ〜ＰＭｄおよびＮＭＯＳトランジスタＮＭａ〜ＮＭｄのオンおよびオフを切り替えるによって、バッファ回路１４１ａ〜１４１ｄのそれぞれについて、電気的な接続および切り離しが切り替え可能、すなわち、並列接続度の変更が可能となっている。
【００２２】
ＰＭＯＳトランジスタＰＭａ〜ＰＭｄは、それぞれ、信号ＣＴＬの０〜３ビットのビット値に基づく信号ＣＴＬ［０］+、ＣＴＬ［１］+、ＣＴＬ［２］+およびＣＴＬ［３］+によって制御される。また、ＰＭＯＳトランジスタＰＭａ〜ＰＭｄは、それぞれ、信号ＣＴＬの０〜３ビットのビット値に基づく信号ＣＴＬ［０］-、ＣＴＬ［１］-、ＣＴＬ［２］-およびＣＴＬ［３］-によって制御される。なお、スイッチ制御回路１４は、信号ＣＴＬとして、図１に示したＡＰＣ回路１３が電流源１１を制御するための信号ＣＴＬを入力する。
【００２３】
以上のように、スイッチ制御回路１４は、ＡＰＣ回路１３による駆動電流の大きさの制御に連動して、バッファ回路１４１ａ〜１４１ｄの並列接続度を変更する。具体的には、駆動電流が大きくなるように制御されるときには並列接続度を上げる一方、駆動電流が小さくなるように制御されるときには並列接続度を下げる。並列接続度が上がるとバッファサイズが大きくなる。すなわち、スイッチ１２ａおよび１２ｂに対する駆動能力が上がる。逆に、並列接続度が下がるとバッファサイズが小さくなる。すなわち、スイッチ１２ａおよび１２ｂに対する駆動能力が下がる。このように、レーザダイオード１０１の駆動電流の大きさに応じてスイッチ１２ａおよび１２ｂに対する駆動能力を切り替えることによって、出力波形を最適化することができる。
【００２４】
なお、スイッチ制御回路１４が備えるバッファ回路の個数は４個に限られるものではなくいくつでもよい。また、それぞれのバッファ回路のサイズは異なっていてもよい。
【００２５】
また、スイッチ制御回路１４の駆動能力を切り替えるための信号として、ＡＰＣ回路１３が電流源１１を制御するための信号ＣＴＬを用いているが、本発明はこれに限定されるものではない。電流源１１が生成する駆動電流の大きさの変化に連動する信号であればどのようなものを用いても構わない。
【００２６】
次に、本実施形態に係るリンギング抑制回路１５について説明する。図３は、本実施形態に係るリンギング抑制回路１５のいくつかの回路構成を示す。
【００２７】
図３（ａ）に示したリンギング抑制回路１５は、直列接続された容量素子Ｃｉ（ｉは１からｎまでの整数。以下同様。）、抵抗素子ＲｉおよびスイッチＳＷｉからなる部分回路を並列に接続した構成となっている。各スイッチＳＷｉは、ＡＰＣ回路１３が電流源１１を制御するための信号ＣＴＬによって制御される。
【００２８】
図３（ｂ）に示したリンギング抑制回路１５は、容量素子Ｃ０を共通とし、直列接続された抵抗素子ＲｉおよびスイッチＳＷｉからなる部分回路を、抵抗素子Ｒ０に並列に接続した構成となっている。これは、リンギング抑制回路１５において抵抗成分が出力波形に最も影響を与えることを考慮し、抵抗値を切り替え可能にしたものである。また、図３（ｃ）に示したリンギング抑制回路１５は、図３（ｂ）に示した抵抗素子Ｒｉを省略し、スイッチＳＷｉのオン抵抗で代用したものである。
【００２９】
以上のように、リンギング抑制回路１５は、ＡＰＣ回路１３による駆動電流の大きさの制御に連動して、あらかじめ設定された時定数を切り替え、レーザ駆動回路１０の出力波形におけるリンギング、ならびに立ち上がりおよび立ち下がり時の波形の鈍りを解消し、出力波形を最適化する。
【００３０】
図４は、本実施形態に係るレーザ駆動回路１０の入出力特性を表すグラフである。図４（ａ）は、本実施形態に係るレーザ駆動回路１０への入力信号を示す。図４（ｂ）は、駆動電流が小さいときの出力波形を示す。図４（ｃ）は、駆動電流が大きいときの出力波形を示す。図４と図１１とを比較してわかるように、本実施形態に係るレーザ駆動回路１０によると、駆動電流が小さいときに生じていたリンギングが解消されるとともに、駆動電流が大きいときに生じていた出力波形の鈍りが解消される。
【００３１】
なお、図１において、リンギング抑制回路１５の一端がスイッチ１２ｂのドレインに接続されているが、本発明はこれに限定されるものではない。当該一端に所定の電圧を与えるようにする、たとえば、当該一端を基準電圧端子またはＧＮＤ端子に接続しても構わない。
【００３２】
また、リンギング抑制回路１５の時定数を切り替えるための信号として、ＡＰＣ回路１３が電流源１１を制御するための信号ＣＴＬを用いているが、本発明はこれに限定されるものではない。電流源１１が生成する駆動電流の大きさの変化に連動する信号であればどのようなもの用いても構わない。
【００３３】
以上、本実施形態によると、レーザダイオード１０１の駆動電流の大きさの変化に対応して最適な出力波形を得ることができる。これにより、光通信装置１００について、光通信データの高速性を損なうことなく、通信の信頼性をより向上させることができる。
【００３４】
なお、レーザダイオード１０１の駆動電流の大きさの制御に連動して、スイッチ１２ａおよび１２ｂのサイズを変更するようにしてもよい。図５は、スイッチサイズを切り替え可能にした光通信装置の回路構成を示す。図１に示した電流源１１は、実際には、図５に示したように電気的に並列に接続可能にされた電流源１１ａ、１１ｂおよび１１ｃからなり、ＡＰＣ回路１３が出力する信号ＣＴＬに応じて、駆動電流の大きさを切り替えている。そこで、信号ＣＴＬに応じて、スイッチサイズを変更するようにする。
【００３５】
具体的には、図５に示したように、電流源１１ａ、１１ｂおよび１１ｃのそれぞれの接続に応じて、スイッチ１２ａ、１２ｂ、１２ｃ、１２ｄ、１２ｅおよび１２ｆの動作を制御する。これにより、駆動電流が小さい場合には小さなサイズのスイッチのオン／オフを制御すればよく、小さな電流で大きなサイズのスイッチを動作させる必要がなくなる。一方、駆動電流が大きい場合には大きなサイズのスイッチのオン／オフさせることとなり、大きな駆動電流を出力することができる。したがって、波形整形の面ではより最適な出力波形を得ることができる。
【００３６】
なお、図１または図５において、光通信装置１００がバースト信号に対応したものであり、かつ、バースト信号ごとにＡＰＣ回路１３が駆動電流の制御を行うような場合、バースト信号ごとにレーザダイオード１０１の駆動電流の大きさを調整するとよい。これにより、有効なデータの転送中に出力レベルの変動が生じなくなり、通信の信頼性をより向上させることができる。
【００３７】
（第２の実施形態）
図６は、本発明の第２の実施形態に係る光通信装置におけるスイッチ制御回路の回路構成を示す。本実施形態に係る光通信装置は、図１に示した光通信装置１００と同様であるため説明を省略する。以下、本実施形態に係るスイッチ制御回路１４について説明する。
【００３８】
本実施形態に係るスイッチ制御回路１４は、電流源１４２、１４３ａおよび１４３ｂと、グランドに接続された抵抗素子ＲａおよびＲｂと、ドレインがそれぞれ抵抗素子ＲａおよびＲｂに接続され、ゲートにそれぞれ差動の入力信号ＩＮ０+およびＩＮ０-が与えられ、ソースがそれぞれ電流源１４２に接続されたＰＭＯＳトランジスタＰＭ０ａおよびＰＭ０ｂと、ドレインがそれぞれグランドに接続され、ゲートがそれぞれＰＭＯＳトランジスタＰＭ０ａおよびＰＭ０ｂに接続され、ソースがそれぞれ電流源１４３ａおよび１４３ｂに接続されたＰＭＯＳトランジスタＰＭ１ａおよびＰＭ１ｂとを備えている。
【００３９】
上記構成のスイッチ制御回路１４において、抵抗素子ＲａおよびＲｂならびに電流源１４２によって決定された振幅を有する信号が、それぞれ、電流源１４３ａおよび１４３ｂならびにＰＭＯＳトランジスタＰＭ１ａおよびＰＭ１ｂから構成されるソースフォロワ回路によってレベル変換され、信号ＩＮ+およびＩＮ-として出力される。ここで、電流源１４２を、図１におけるＡＰＣ回路１３が電流源１１を制御するための信号ＣＴＬによって制御することによって、駆動電流の大きさの制御に連動して信号ＩＮ+およびＩＮ-の振幅、すなわち、図１におけるスイッチ１２ａおよび１２ｂに対する駆動能力を切り替える。
【００４０】
図７は、本実施形態に係るスイッチ制御回路１４の入出力特性を表すグラフである。図７（ａ）は、スイッチ制御回路１４への入力信号を示す。図７（ｂ）は、駆動電流が小さいときのスイッチ制御回路１４の出力波形を示す。図７（ｃ）は、駆動電流が大きいときのスイッチ制御回路１４の出力波形を示す。図７に示したように、駆動電流が大きくなるように制御されるときには、信号ＩＮ+およびＩＮ-の振幅を大きくする一方、駆動電流が小さくなるように制御されるときには、信号ＩＮ+およびＩＮ-の振幅を小さくする。
【００４１】
このように、本実施形態に係るスイッチ制御回路１４は、図１におけるレーザダイオード１０１の駆動電流の大きさの制御に連動して、スイッチ１２ａおよび１２ｂを制御するための信号ＩＮ+およびＩＮ-の振幅を切り替える、すなわち、スイッチ１２ａおよび１２ｂに対する駆動能力を切り替える。
【００４２】
以上、本実施形態によると、レーザダイオード１０１の駆動電流の大きさの変化に対応して最適な出力波形を得ることができる。これにより、光通信装置１００について、光通信データの高速性を損なうことなく、通信の信頼性をより向上させることができる。
【００４３】
なお、電流源１４２を定電流源にして、抵抗素子ＲａおよびＲｂを可変抵抗素子にしてもよい。また、所定の振幅の信号ＩＮ+およびＩＮ-を出力する回路を複数備え、当該複数の回路を切り替えることによって、信号ＩＮ+およびＩＮ-の振幅を切り替えるようにしてもよい。
【００４４】
また、第１および第２の実施形態において、スイッチ１２ａおよび１２ｂは差動信号で制御されるとしたが、本発明はこれに限定されるものではない。たとえば、スイッチ１２ｂに信号ＩＮ-に代えて所定電圧を与え、かつ、信号ＩＮ+のみでスイッチ１２ａを制御するようにしてもよい。
【００４５】
また、第１および第２の実施形態において、スイッチ制御回路１４およびリンギング抑制回路１５のいずれか一方を省略してもよい。たとえば、レーザ駆動回路１０の出力波形におけるリンギングよりも波形の鈍りの解消を重視する場合には、スイッチ制御回路１４のみを設ける構成にしてもよい。逆に、レーザ駆動回路１０の出力波形の鈍りよりもリンギングの解消を重視する場合には、リンギング抑制回路１５のみを設ける構成にしてもよい。ただし、駆動電流の変化の範囲が非常の広い場合や、レーザダイオード１０１の種類によっては寄生インダクタンスおよび寄生容量成分がかなり大きくなるためにリンギングの発生が著しくなる場合や、通信距離が比較的長い場合などには、リンギング抑制回路１５のみでは、レーザ駆動回路１０の出力波形の最適化が不十分となることがある。したがって、このような場合には、スイッチ制御回路１４およびリンギング抑制回路１５のいずれをも設ける構成にすることが好ましい。
【００４６】
（参考例）
図８は、参考例に係る光通信装置におけるスイッチ制御回路の回路構成を示す。本参考例に係る光通信装置は、図１に示した光通信装置１００と同様であるため説明を省略する。以下、本参考例に係るスイッチ制御回路１４について説明する。
【００４７】
本参考例に係るスイッチ制御回路１４は、ＮＡＮＤ回路１４５と、遅延回路１４６および１４７とを備えている。遅延回路１４７は、図１におけるスイッチ１２ａおよび１２ｂを制御するための信号ＩＮ+およびＩＮ-の原信号である信号ＩＮ０を遅延させて信号ＩＮ+として出力する。ＮＡＮＤ回路１４５は、信号ＩＮ０と遅延回路１４６によって信号ＩＮ０を遅延させたものとの論理積を反転して信号ＩＮ-として出力する。
【００４８】
図９は、本参考例に係るスイッチ制御回路１４の入出力特性を表すグラフである。図９（ａ）は、入力信号である信号ＩＮ０を示す。図９（ｂ）は、通常の差動信号（信号ＩＮ+およびＩＮ-）を示す。そして、図９（ｃ）は、本参考例に係る差動信号（信号ＩＮ+およびＩＮ-）を示す。図９（ｃ）からわかるように、本参考例に係る信号ＩＮ-の立ち下がりは信号ＩＮ+の立ち上がり変化よりも遅延して起きているため、差動信号のクロスポイントが、図９（ｂ）に示した通常の作動信号のクロスポイントからずれている。これにより、信号ＩＮ+について、クロスポイントから立ち上がるまでの時間が短くなっている。図１のレーザ駆動回路１０の出力波形におけるオーバーシュートによるリンギングは、信号ＩＮ+が立ち上がるときに発生する。そこで、信号ＩＮ+がクロスポイントから立ち上がるまでの時間を短くすることで、オーバーシュートを抑制することが可能となる。
【００４９】
以上、本参考例によると、レーザ駆動回路１０の出力波形におけるオーバーシュートを抑制することができる。これにより、図１に示したレーザダイオード１０１の高速駆動する場合において、安定したレーザ光出力を得ることができる。
【００５０】
なお、遅延回路１４６および１４７は、論理回路で構成しても、その他の遅延設定の可能な素子で構成しても、いずれであってもよい。
【００５１】
また、スイッチ制御回路１４は、信号ＩＮ-の立ち下がり変化が信号ＩＮ+の立ち上がり変化よりも遅延して起きるような構成であればよく、上記以外の回路構成が可能である。
【００５２】
以上、本発明の各実施形態について説明したが、上記の各実施形態において、スイッチ１２ｂのドレインを電源ＶＤＤに直接接続するのではなく、当該ドレインと電源ＶＤＤとの間に、波形整形を目的として、抵抗素子、容量素子およびインダクタンスを挿入しても構わない。
【産業上の利用可能性】
【００５３】
本発明に係るレーザ駆動回路は、幅広い駆動電流の変化に対応して出力波形を最適化することができるため、高速な光データ通信を行う光通信装置におけるレーザダイオードを駆動する用途に特に有用である。
【図面の簡単な説明】
【００５４】
【図１】本発明の第１の実施形態に係る光通信装置の回路構成図である。
【図２】本発明の第１の実施形態に係るスイッチ制御回路の回路構成図である。
【図３】本発明の第１の実施形態に係るリンギング抑制回路のいくつかの回路構成図である。
【図４】本発明の第１の実施形態に係るレーザ駆動回路の入出力特性を表すグラフである。
【図５】図１に示したスイッチのサイズを切り替え可能にした光通信装置の回路構成図である。
【図６】本発明の第２の実施形態に係る光通信装置におけるスイッチ制御回路の回路構成図である。
【図７】本発明の第２の実施形態に係るスイッチ制御回路の入出力特性を表すグラフである。
【図８】参考例に係る光通信装置におけるスイッチ制御回路の回路構成図である。
【図９】参考例に係るスイッチ制御回路の入出力特性を表すグラフである。
【図１０】従来のレーザ駆動回路の回路構成図である。
【図１１】従来のレーザ駆動回路の入出力特性を表すグラフである。
【符号の説明】
【００５５】
１０  レーザ駆動回路
１１、１１ａ〜１１ｃ  電流源
１２ａ、１２ｂ  スイッチ
１３  ＡＰＣ回路（出力制御回路）
１４  スイッチ制御回路
１５  リンギング抑制回路（フィルタ回路）
１４１ａ〜１４１ｄ  バッファ回路
１０１  レーザダイオード
１０２  フォトダイオード（受光素子）
【図１】
0004754170.tif 000002
【図２】
0004754170.tif 000003
【図３】
0004754170.tif 000004
【図４】
0004754170.tif 000005
【図５】
0004754170.tif 000006
【図６】
0004754170.tif 000007
【図７】
0004754170.tif 000008
【図８】
0004754170.tif 000009
【図９】
0004754170.tif 000010
【図１０】
0004754170.tif 000011
【図１１】
0004754170.tif 000012